(57)【要約】【課題】ビニールハウスに代表されるような施設のシートを押さえるため、張り渡した張り紐を、張設後に張り紐を緩めたり、さらには増し締め可能とするようにして、当該張り紐の緊張状態を必要に応じて自在に調節可能とするようにした新規な構造からなる張り調整用結び玉係着具、およびそれを組み込んだ新規な構造の張り紐を提供する。【解決手段】短杆体２の軸心部分に貫通孔２１を穿設し、これに通ずる螺旋状の案内溝３を形成した係着具本体２の一方端から、通孔５１が用意された繋ぎ片５を延伸し、該繋ぎ片との境となる貫通孔端に結び玉掛止部４を形成してなる張り調整用結び玉係着具１である。【選択図】    図６
2005021302.tif 000002
【特許請求の範囲】
【請求項１】
掌握可能な大きさの短杆体で、その軸心部分または軸心を含む中心辺りに張り紐挿通用の貫通孔を穿設すると共に、当該短杆体の全長に渡り、その外周壁面から前記貫通孔に達する如くして、貫通孔周りに略螺旋状配置か、あるいはその一部または全部が軸心に平行する直線状配置かの何れかで、張り紐太さに相当する幅寸法のものとした案内溝を形成して係着具本体となし、該係着具本体の一方端適所からは、張り紐端部取着用の通孔が用意された繋ぎ片を、短杆体軸心に添う方向に一体的に延伸、形成した上、該繋ぎ片との境となる貫通孔端辺りを階段状に切り欠き、張り紐長さ調節用とする結び玉掛止部に形成してなるものとしたことを特徴とする張り調整用結び玉係着具。
【請求項２】
掌握可能な大きさの短杆体で、その軸心部分または軸心を含む中心辺りに張り紐挿通用の貫通孔を穿設すると共に、当該短杆体の全長に渡り、その外周壁面から前記貫通孔に達する如くして、貫通孔周りに略螺旋状配置か、あるいはその一部または全部が軸心に平行する直線状配置かの何れかで、張り紐太さに相当する幅寸法のものとした案内溝を形成して係着具本体となし、該係着具本体の一方端適所からは、張り紐端部取着用の通孔が用意された繋ぎ片を、短杆体軸心に添う方向に一体的に延伸、形成した上、該繋ぎ片との境となる貫通孔端辺りを階段状に切り欠き、張り紐長さ調節用とする結び玉掛止部に形成してなるものとし、予め中途複数適所に適宜間隔置き毎となる調整用結び玉を形成した張り紐の一端側を、係着具本体の繋ぎ片の孔に挿し通して脱抜不能に連結した上、該係着具本体連結側の張り紐中途適所を支持箇所に係止、折り返して引張り、張り紐の張り具合を加減してから、当該係着具本体案内溝を通じて最適箇所の調整用結び玉付近の張り紐を誘導、装着することにより、係着具本体結び玉掛止部を、最適箇所の調整用結び玉に掛止させ、張り紐を緊張状に保持させるようにしたことを特徴とする張り調整用結び玉係着具。
【請求項３】
掌握可能な大きさの短杆体で、その軸心部分または軸心を含む中心辺りに張り紐挿通用の貫通孔を穿設すると共に、当該短杆体の全長に渡り、その外周壁面から前記貫通孔に達する如くして、貫通孔周りに略螺旋状配置か、あるいはその一部または全部が軸心に平行する直線状配置かの何れかで、張り紐太さに相当する幅寸法のものとした案内溝を形成して係着具本体となし、該係着具本体の一方端適所からは、張り紐端部取着用の通孔が用意された繋ぎ片を、短杆体軸心に添う方向に一体的に延伸、形成した上、該繋ぎ片との境となる貫通孔端辺りを階段状に切り欠き、張り紐長さ調節用とする結び玉掛止部に形成し、結び玉掛止部の外周側であって案内溝を挟み繋ぎ片とは反対側に対峙する位置には、張り紐長さ調節用の結び玉を係止可能な係止角を、短杆体軸心に添う方向に一体的に突設してなるものとしたことを特徴とする張り調整用結び玉係着具。
【請求項４】
案内溝が、係着具本体の一方端から他方端に向かう軸心方向に反時計周りの螺旋状とするよう形成してなる、請求項１ないし３何れか一項記載の張り調整用結び玉係着具。
【請求項５】
案内溝が、係着具本体の一方端から他方端に向かう軸心方向に時計周りの螺旋状とするよう形成してなる、請求項１ないし３何れか一項記載の張り調整用結び玉係着具。
【請求項６】
案内溝が、係着具本体の一方端から他方端に向かう軸心における反時計周りか、時計周りかの何れかに０゜以上９０゜以下の範囲で回転する螺旋状に設定してなる、請求項１ないし３何れか一項記載の張り調整用結び玉係着具。
【請求項７】
案内溝が、係着具本体の一方端から他方端に向かう軸心における反時計周りか、時計周りかの何れかに９０゜以上１８０゜以下の範囲で回転する螺旋状に設定してなる、請求項１ないし３何れか一項記載の張り調整用結び玉係着具。
【請求項８】
結び玉掛止部が、その係着具本体の一方端から他方端に向かう深さ寸法を、張り紐直径の凡そ３倍以上に設定してなる、請求項１ないし３何れか一項記載の張り調整用結び玉係着具。
【請求項９】
掌握可能な大きさの短杆体で、その軸心部分または軸心を含む中心辺りに張り紐挿通用の貫通孔を穿設すると共に、当該短杆体の全長に渡り、その外周壁面から前記貫通孔に達する如くして、貫通孔周りに略螺旋状配置か、あるいはその一部または全部が軸心に平行する直線状配置かの何れかで、張り紐太さに相当する幅寸法のものとした案内溝を形成して係着具本体となし、該係着具本体の一方端適所からは、張り紐端部取着用の通孔が用意された繋ぎ片を、短杆体軸心に添う方向に一体的に延伸、形成した上、該繋ぎ片との境となる貫通孔端辺りを階段状に切り欠き、張り紐長さ調節用とする結び玉掛止部に形成してなるものとした張り調整用結び玉係着具に対し、ビニルハウスやテント等の張設対象に応じた長さに設定され、少なくとも一端側所定範囲の中途複数適所に適宜間隔置き毎となる調整用結び玉を形成した張り紐の一端を、係着具本体の繋ぎ片の孔に挿し通して脱抜不能に連結したものとし、該係着具本体連結側の張り紐中途適所を支持箇所に係止、折り返して引張り、張り紐の張り具合を加減してから、当該係着具本体案内溝を通じて最適箇所の調整用結び玉付近の張り紐を誘導、装着し、係着具本体結び玉掛止部を、最適箇所の調整用結び玉に掛止させ、張り紐を緊張状に保持、可能としたことを特徴とする、請求項１ないし８何れか一項記載の張り調整用結び玉係着具を組み込んだ張り紐。
【発明の詳細な説明】
【０００１】
【発明の目的】
この発明は、ビニルハウスやテント、車両用の幌等のように骨格材の外側に防水性のシートを張設する場合等に好適に用いられる張り紐用の仮止め具に関連するものであって、特に、張設後に張り紐を緩めたり、さらには増し締め可能として張り紐の緊張状態を必要に応じて自在に調節可能とする新規な構造からなる張り調整用結び玉係着具、およびそれを組み込んだ新規な構造の張り紐を提供しようとするものである。
【０００２】
【従来の技術】
我が国における多くの果樹農家では、ビニルハウスやガラス室、雨避け施設等を利用する施設栽培が、広く行われるようになっており、その理由として大雨や台風等の気象災害を回避し、降雨に影響されずに適期に管理、収穫作業を行うことができ、しかも病害虫の防除が容易で低農薬栽培ができると共に、果実品質の向上が期待できる上、収穫期を早めて、早期出荷による高値販売が期待でき、出荷期間の拡大、分散が可能であること等が挙げられる。
【０００３】
こうした栽培施設の代表的なものとして、概略蒲鉾型をした丸屋根式単棟タイプや、これを複数連ねたような丸屋根式連棟タイプ、あるいは、概略家型の切り妻屋根式単棟タイプやその連棟タイプがあり、このような形式の農業用ビニルハウスは、複数本の金属製門型パイプによって形成された骨格の外側にビニルシートを被せ、その骨格間のビニルシートの上からマイカー線（フィーダー線のような断面のビニールシート押えバンド）によって締め付けて骨格外側に張ったビニルシートのたるみを無くして緊張状のハウスとして、複数本の果樹をまとめて被覆してしまうものである。
【０００４】
その中、桜桃の栽培に用いられるビニルハウスは、果樹の高さに合わせるために屋根がかなり高い上、既存の園地に設置されることが多いので形状が一定しないという特徴があり、しかも一年中ビニルシートで被覆しておくのではなく、霜避けや雨避け等といった悪天からの保護の外、温度調整のため等の通気性の確保等の目的によって一時的に被覆したり、あるいは開放したりする必要があり、また予期せぬ降雨に対応して急きょ開放中のビニルシートを閉鎖させたり、台風の接近に備えてマイカー線を締め直したりという作業を頻繁に行う必要があるという性格を有している。
【０００５】
このように、桜桃に代表されるような果樹園でのビニールハウスは、マイカー線を緩めたり、引き締めたりする作業が多くなるため、一般的なビニルハウスのようにマイカー線の端部を、ハウス地上付近の骨格部分等に単に結び付けて固定しておけば済むような構造のままでは、作業効率を悪化して作業者に多大な作業負担が掛かってしまうばかりでなく、マイカー線の繋ぎ止めが不確実となり、ビニルシートを介して強風や大雨による圧力を受けた場合に容易に解けてしまう虞れ等もあり、そのような事態を恐れて簡単には解けないように強固に結ぶと、今度は緩める作業のときに簡単に解くことができず、作業性を悪化させてしまうという悪循環が生じてしまうことになった。
【０００６】
こうしたマイカー線を弛緩および緊張させるビニルハウスの管理作業を効率化するために幾つかの提案があって、例えば特開平１０−２７４２１４号公報に開示された「バンド留め具」発明に見られるものでは、該バンド留め具は、その本体部材を形成する一対の片部間に設けた環状部を、マイカー線（バンド）を繋着すべきビニルハウスの骨格部分に装着し、同バンド留め具の片部間を貫通状に巡らせたマイカー線の端部を、ビニルハウスの外側に配置された一方の片部に、マイカー線の引張力を受けて喰い付き状に固定されるよう設けられたレバー部材の上端を取り回して装着する構造とし、該レバー部材を、例えば片手で操作することにより、マイカー線を緊張させる作業を簡便に行うことができるようにしたものであったり、また、特開２０００−９１０９号公報に記載のあるものでは、前述の構造をさらに改善し、作業者が立ったままの姿勢で、バンド留め具を容易に操作できる高さ位置に装着可能な構造とした「バンド留め具」発明等が散見される。
【０００７】
しかしながら、これら既に提案のあるバンド留め具は、その構造がかなり複雑なものとなって部品点数も多くなってしまうため、圃場にある全てのビニルハウスのマイカー線に装着するには多大な費用が必要となると共に、部品点数が多くてどうしても破損や磨耗の要因も増えてしまい、部品の維持管理にも多大な労力を要するものとなることが予想される上、長期間使用すると喰い付き部分の磨耗によってマイカー線が緩んでしまう虞れもある等して、さらに構造が簡素で耐久性に秀れていると共に、マイカー線の緊張状態を確実に確保できるようにした紐張り具が求められている状況下にあった。
【０００８】
この発明は、以上のような状況に対処すべく、実際に桜桃等の果樹栽培に従事するものの一人として、より廉価に製造、販売することが可能であり、しかも張り紐を確実に緊張し得てその緊張状態を確保できると共に、張り紐を弛緩させる際の作業性にも秀れ、しかも連棟タイプのビニルハウスにおける屋根の谷部分のような比較的高所で狭い箇所にも適用可能とする小型の係着具を実現させることはできないものかとの判断から、逸速くその開発、研究に着手し、長期に渡る試行錯誤と幾多の試作、実験とを繰り返してきた結果、今回、遂に新規な構造の張り調整用結び玉係着具、およびそれを組み込んだ新規な構造の張り紐を実現化することに成功したものであり、以下では、図面に示すこの発明を代表する実施例と共に、その構成を詳述することとする。
【０００９】
【発明の構成】
図面に示すこの発明を代表する実施例からも明確に理解されるように、この発明に包含される張り調整用結び玉係着具は、基本的に次のような構成から成り立っている。
即ち、掌握可能な大きさの短杆体で、その軸心部分または軸心を含む中心辺りに張り紐挿通用の貫通孔を穿設すると共に、当該短杆体の全長に渡り、その外周壁面から前記貫通孔に達する如くして、貫通孔周りに略螺旋状配置か、あるいはその一部または全部が軸心に平行する直線状配置かの何れかで、張り紐太さに相当する幅寸法のものとした案内溝を形成して係着具本体となし、該係着具本体の一方端適所からは、張り紐端部取着用の通孔が用意された繋ぎ片を、短杆体軸心に添う方向に一体的に延伸、形成した上、該繋ぎ片との境となる貫通孔端辺りを階段状に切り欠き、張り紐長さ調節用とする結び玉掛止部に形成してなる構成を要旨とする張り調整用結び玉係着具である。
【００１０】
この基本的な構成からなる張り調整用結び玉係着具を、表現を変えて示すならば、掌握可能な大きさの短杆体で、その軸心部分または軸心を含む中心辺りに張り紐挿通用の貫通孔を穿設すると共に、当該短杆体の全長に渡り、その外周壁面から前記貫通孔に達する如くして、貫通孔周りに略螺旋状配置か、あるいはその一部または全部が軸心に平行する直線状配置かの何れかで、張り紐太さに相当する幅寸法のものとした案内溝を形成して係着具本体となし、該係着具本体の一方端適所からは、張り紐端部取着用の通孔が用意された繋ぎ片を、短杆体軸心に添う方向に一体的に延伸、形成した上、該繋ぎ片との境となる貫通孔端辺りを階段状に切り欠き、張り紐長さ調節用とする結び玉掛止部に形成してなるものとし、予め中途複数適所に適宜間隔置き毎となる調整用結び玉を形成した張り紐の一端側を、係着具本体の繋ぎ片の孔に挿し通して脱抜不能に連結した上、該係着具本体連結側の張り紐中途適所を支持箇所に係止、折り返して引張り、張り紐の張り具合を加減してから、当該係着具本体案内溝を通じて最適箇所の調整用結び玉付近の張り紐を誘導、装着することにより、係着具本体結び玉掛止部を、最適箇所の調整用結び玉に掛止させ、張り紐を緊張状に保持させるようにした張り調整用結び玉係着具であるということができる。
【００１１】
そして、より具体的な構成のものとしては、掌握可能な大きさの短杆体で、その軸心部分または軸心を含む中心辺りに張り紐挿通用の貫通孔を穿設すると共に、当該短杆体の全長に渡り、その外周壁面から前記貫通孔に達する如くして、貫通孔周りに略螺旋状配置か、あるいはその一部または全部が軸心に平行する直線状配置かの何れかで、張り紐太さに相当する幅寸法のものとした案内溝を形成して係着具本体となし、該係着具本体の一方端適所からは、張り紐端部取着用の通孔が用意された繋ぎ片を、短杆体軸心に添う方向に一体的に延伸、形成した上、該繋ぎ片との境となる貫通孔端辺りを階段状に切り欠き、張り紐長さ調節用とする結び玉掛止部に形成し、結び玉掛止部の外周側であって案内溝を挟み繋ぎ片とは反対側に対峙する位置には、張り紐長さ調節用の結び玉を係止可能な係止角を、短杆体軸心に添う方向に一体的に突設してなるものとした構成の張り調整用結び玉係着具ということができる。
【００１２】
係着具本体は、張り紐を貫通状に装着可能とする貫通孔や、外周側から張り紐中途箇所を貫通孔まで横断状に通過可能とする案内溝、および繋ぎ片等を一体化して張り調整用結び玉係着具の主要部分を一体的に形成、可能とする機能を果たすものであり、掌握可能な大きさの短杆体であって、その軸心部分または軸心を含む中心辺りに穿設した貫通孔に張り紐の中途部を挿通可能な寸法形状とし、繋ぎ片に連結した張り紐端や、貫通孔に挿通した張り紐中途適所に加わる張力に耐えるに十分な強度を有するものとしなければならず、貫通孔、案内溝、繋ぎ片および結び玉掛止部等、各部形状を形成可能な素材、例えば木材、金属素材をはじめ、セラミック素材や合成樹脂素材等、張り紐に傷を付け難い素材ならびに形状とすべきであり、特に、張り紐に接触する部分を平滑な曲面で連続するよう形成したものとするのが望ましく、張り紐と接触部分のみを磨耗から保護する金属プレートやセラミックパーツ等の硬質素材製とすることができる。
【００１３】
貫通孔は、掛着具本体を形成する短杆体の軸心部分または軸心を含む中心辺りに張り紐を貫通状に挿通可能として直線状に緊張する張り紐中途適所に装着可能とする機能を果たし、短杆体外周壁面に形成された案内溝に連通し、該案内溝を通じて張り紐中途箇所を短杆体肉厚方向に貫通させるよう装着、可能な構造とし、しかも張り紐の中途箇所に形成された長さ調節用の結び玉が進入もしくは通過不能な内径寸法に設定しなければならず、短杆体の繋ぎ片が設けられた一方端側に対応する開口端に、張り紐長さ調節用の結び玉掛止部を形成したものとすべきである。
【００１４】
案内溝は、張り紐の中途適所を短杆体の外周側から貫通孔まで肉厚方向に横断するよう簡便に装着可能とすると共に、張り紐の取り外しや張りの調節作業の際には、比較的容易に張り紐の中途適所を短杆体の貫通孔から外周側に脱抜できるようにするという機能を果たすものであり、一部か、もしくは全長に渡ってかの何れかを螺旋状に形成して緊張状態にある張り紐が、不用意に貫通孔から短杆体の外周側に離脱しないよう保持可能とする機能を兼ねたものとするのが望ましいが、全長に渡って短杆体の軸心に略平行な直線状とし、結び玉掛止部を短杆体の軸心方向に深く掘り下げた形状として張り紐の中途適所の結び玉を脱抜不能に掛着可能な構造とすることができる外、係着具本体の一方端から他方端に向かう軸心方向に反時計周りの螺旋状とするようにしたり、係着具本体の一方端から他方端に向かう軸心方向に時計周りの螺旋状とするよう形成してなるものとすることができ、また、係着具本体の一方端から他方端に向かう軸心における反時計周りか、時計周りかの何れかに０゜以上９０゜以下の範囲で回転する螺旋状に設定したもの、もしくは、係着具本体の一方端から他方端に向かう軸心における反時計周りか、時計周りかの何れかに９０゜以上１８０゜以下の範囲で回転する螺旋状に設定したものとすることができる。
【００１５】
結び玉掛止部は、係着具本体の貫通孔に装着した張り紐の調整用結び玉を、短杆体の中心寄りに留め、貫通孔の一方端付近に掛止して張り紐の貫通孔からの不用意な離脱を阻止、可能とする機能を果たすものであり、貫通孔よりも大きく且つ短杆体の外形寸法よりも小さな寸法に設定され、外周壁が張り紐の調整用結び玉の一部もしくは略全体を包囲可能な形状としなければならず、案内溝の形状に応じて、案内溝の捩れ角度が殆ど０゜に近い場合等には、係着具本体の一方端から他方端に向かう深さ寸法を、張り紐直径の凡そ３倍以上に設定したものとすることが可能である外、案内溝の捩れ角度が十分に大きいとき等には、同深さ寸法を張り紐結び玉直径の約１／３程度に設定したものとすることができる。
【００１６】
繋ぎ片は、当該係着具本体の適所に対し、張り紐の一端側を、脱抜不能に連結してしまうことにより、該張り紐の中途適所を支持箇所に係止し、折り返して引張り、案内溝を通じて最適箇所の調整用結び玉付近の張り紐を誘導、装着可能とする機能を果たすものでり、張り紐の張力に耐えるに十分な強度を有するものとしなければならず、短杆体にの一方端から同短杆体軸心に沿う方向に一体的に延伸、形成されたものとし、適所に少なくとも張り紐用の連結金具、掛着鈎あるいは通孔の何れか一個を設けたものとすべきである。
【００１７】
係止角は、短杆体の一方端側である結び玉掛止部外周側の適所に配置され、同結び玉掛止部に掛着状となった張り紐結び玉の外周適所に係合状となって張り紐結び玉の係止状態を、より確実なものとするという機能を果たし、十分な強度を有し且つ張り紐結び玉に簡単、確実に係合する鈎形状あるいは角形状等とすべきであり、案内溝を挟み繋ぎ片と対峙する配置とし、短杆体と一体的に形成したものとするのが望ましい。
【００１８】
【関連する発明】
上記した構成からなる張り調整用結び玉係着具に関連し、この発明には、当該張り調整用結び玉係着具を組み込んでなる張り紐も包含しており、その構成は基本的に次のとおりのものである。
即ち、掌握可能な大きさの短杆体で、その軸心部分または軸心を含む中心辺りに張り紐挿通用の貫通孔を穿設すると共に、当該短杆体の全長に渡り、その外周壁面から前記貫通孔に達する如くして、貫通孔周りに略螺旋状配置か、あるいはその一部または全部が軸心に平行する直線状配置かの何れかで、張り紐太さに相当する幅寸法のものとした案内溝を形成して係着具本体となし、該係着具本体の一方端適所からは、張り紐端部取着用の通孔が用意された繋ぎ片を、短杆体軸心に添う方向に一体的に延伸、形成した上、該繋ぎ片との境となる貫通孔端辺りを階段状に切り欠き、張り紐長さ調節用とする結び玉掛止部に形成してなるものとした張り調整用結び玉係着具に対し、ビニルハウスやテント等の張設対象に応じた長さに設定され、少なくとも一端側所定範囲の中途複数適所に適宜間隔置き毎となる調整用結び玉を形成した張り紐の一端を、係着具本体の繋ぎ片の孔に挿し通して脱抜不能に連結した構造としたことにより、該係着具本体連結側の張り紐中途適所を支持箇所に係止、折り返して引張り、張り紐の張り具合を加減してから、当該係着具本体案内溝を通じて最適箇所の調整用結び玉付近の張り紐を誘導、装着し、係着具本体結び玉掛止部を、最適箇所の調整用結び玉に掛止させ、張り紐を緊張状に保持、可能とした前記何れか記載の張り調整用結び玉係着具を組み込んだ張り紐である。
【００１９】
張り紐は、ビニルハウスやテントあるいはトラックの幌等を弛まないよう張り着けし、端部側に張り調整用結び玉係着具を繋ぐことによって張設長さを簡便に調整可能とする機能を果たし、一端もしくは両端に当該張り調整用結び玉係着具を繋いだものか、あるいはＹ字状、Ｘ字状、蜘蛛の巣状や網状等の比較的複雑な形状に繋がれた複数本の中の少なくとも何れかの張り紐の一端に張り調整用結び玉係着具を繋いだものかの何れかとしなければならず、予め張り調整用結び玉係着具が繋がれた端部に近い中途複数適所に、張り紐自体の使用目的に応じた張りの調整に好適な適宜間隔置き毎となる調整用結び玉を形成してあるものとすべきであり、しかも、係着具本体結び玉掛止部に確実に係止可能な程度の大きさの結び玉を形成できる太さ、および材質のものを選択するのが望ましいといえ、例えば綿紐や麻縄等の天然繊維製、ポリプロピレンやポリエチレン等の合成樹脂繊維製の紐、あるいはそれらの組み合わせによるものとしたり、または金属ワイヤーに合成樹脂被覆を施したものや合成樹脂製の農業用マイカー線等とすることができる。
以下では、図面に示すこの発明を代表する実施例と共に、その構造について詳述することとする。
【００２０】
【実施例１】
図１の張り調整用結び玉係着具の斜視図に示される事例は、掌握可能な大きさの短杆体２で、その軸心部分に張り紐７挿通用の貫通孔２１を穿設すると共に、当該短杆体２の全長に渡り、その外周壁面から前記貫通孔２１に達しさせ、貫通孔２１の周りに略螺旋状配置とし、張り紐７の太さに相当する幅寸法のものとした案内溝３を形成して係着具本体２となし、該係着具本体２の一方端適所からは、張り紐７端部取着用の通孔５１が用意された繋ぎ片５を、短杆体２軸心に添う方向に一体的に延伸、形成した上、当該繋ぎ片５との境となる貫通孔２１端辺りを階段状に切り欠き、張り紐７長さ調節用とする結び玉掛止部４に形成した基本的構成を備えてなるこの発明の張り調整用結び玉係着具１における代表的な一実施例を示している。
【００２１】
当該張り調整用結び玉係着具１は、全長が３０ないし４０ｍｍ程度、外径が２０ないし２５ｍｍ程度の掌握可能な大きさの短杆体２を有し、該短杆体２の軸心部分には、直径が５ないし６ｍｍ程度の貫通孔２１が貫通状に穿孔してあって、直径５ｍｍの張り紐７を貫通状に挿通可能な概略円筒形状をなし、同短杆体２の外周壁面から貫通孔２１にかけて、短杆体２の一方端から他方端に向かう軸心における反時計回りに凡そ９０゜の範囲で回転する螺旋状に設定された、巾寸法約５ｍｍの案内溝３を、肉厚方向に貫通された状態に配置、形成したことにより、係着具本体（短杆体）２が形成されている。
【００２２】
この係着具本体２の一方端であって、案内溝３の、前記反時計回り方向に隣接する位置には、高さが１５ｍｍ程度、巾が２０ｍｍ程度、肉厚が６ｍｍ程度の繋ぎ片５を、該短杆体２の軸心に沿う方向に一体的に延伸、形成し、同繋ぎ片５の縦横略中央位置か、あるいは縦横略中央から僅かに末端寄りとなる位置かの何れかに、肉厚方向に貫通する、直径６ないし７ｍｍ程度の通孔５１が穿孔されている。
【００２３】
また、係着具本体２の一方端であって繋ぎ片５の基部付近に開口する貫通孔２１の端部には、短杆体２の外径寸法よりも小さく、貫通孔２１の内径寸法よりも大きい、凡そ１０ｍｍ程度の内径寸法であり、短杆体２の軸心方向の深さ寸法が２ないし４ｍｍ程度に設定された階段状に切り欠かれてなる結び玉掛止部４が形成されており、しかも、短杆体２の一方端外周壁面の、案内溝３を挟んで繋ぎ片５と対峙する箇所には、突出高さ５ｍｍ程度の略三角状に形成された係止角６が、短杆体３の軸心に沿う方向に一体的に突設されたものとしている。
【００２４】
【実施例２】
図２の張り調整用結び玉係着具の斜視図に示される事例は、この発明に包含される他の一実施例を示すものであり、その基本的構成については、前記実施例と略同様となるが、案内溝３の形状および配置について夫々異なる構造のものとした事例になっている。
【００２５】
案内溝３は、短杆体２の一方端から、それとは反対側となる他方端の、周回り約９０゜の範囲に渡り、時計回り方向に捩れた螺旋状に形成されており、繋ぎ片５が、該案内溝３一方側端の時計回り方向に隣接する位置に配置されたものとしてある。
【００２６】
【実施例３】
図３の張り調整用結び玉係着具の斜視図に示される事例は、この発明における他の実施例を示すものであり、案内溝３が、繋ぎ片５が配置された範囲から外れた位置に形成された構造であって短杆体２の繋ぎ片５が延伸された一方端から他方端にかけて周回り凡そ４５゜の範囲に渡り、時計回り方向に捩れた比較的緩やかな螺旋状に形成されたものとなっている。
【００２７】
【実施例４】
図４の張り調整用結び玉係着具の斜視図に示される事例は、この発明の別の実施例を示すものであって案内溝３が、短杆体２の繋ぎ片５が延伸された一方端から他方端にかけて、短杆体２の一方端における繋ぎ片５の延伸された範囲から外れた位置から、周回り凡そ１６０゜の範囲に渡り、時計回り方向に捩れた比較的急な螺旋状に形成されている。
【００２８】
【実施例５】
図５の張り調整用結び玉係着具の斜視図に示される事例は、この発明のさらに別の実施例を示すものであり、案内溝３が、短杆体２の全長に渡り、同短杆体２の一方端における繋ぎ片５の延伸された部分から外れた範囲の略中央付近に、該短杆体２の軸心に平行な直線状のものとして形成され、しかも該短杆体２の一方端に開口する貫通孔２１端には、深さが凡そ２０ｍｍ前後であって、案内溝３巾約５ｍｍの凡そ３ないし４倍程度の深さ寸法に設定された結び玉掛止部４を形成したものとなっている。
【００２９】
【作用】
以上のとおりの構成からなるこの発明の張り調整用結び玉係着具１は、図６の張り調整用結び玉係着具を組み込んだ張り紐の使用状態の斜視図、および、図７の張り調整用結び玉係着具を組み込んだ張り紐の緊張状態の斜視図に示すように、張り紐７の端部に繋ぐことにより、この発明に包含される、張り調整用結び玉係着具１を組み込んだ張り紐７を形成することが可能である。
【００３０】
図６および図７中に示した張り調整用結び玉係着具１を組み込んだ張り紐７は、予め張り紐７の一端から約６０ｃｍの箇所に一個の調整用結び玉７１を形成し、さらに、該結び玉７１から、短杆体２の全長寸法より長い４０ないし５０ｍｍ毎か、あるいはそれよりも遥かに長い１００ないし２００ｍｍの間隔毎かの適宜寸法毎となる位置に、夫々調整用結び玉７１，７１，……を、必要と思われる個数形成した上、同張り紐７の一端を、図１に示したような張り調整用結び玉係着具１の繋ぎ片５に開口する通孔５１に、貫通孔２１の開口に面する内側から外周面側に挿通し、露出状となった端部に繋着用結び玉７２を形成するようにして構成されたものとなっており、同張り紐７の図示しない他端にも同様に張り調整用結び玉係着具１を組み込むのが望ましいが、地面に打設された杭に直接、繋着したり、連結金具を介して地上の固定箇所に適宜連結するような、一般的なマイカー線の繋着構造とすることも可能である。
【００３１】
このように形成された張り調整用結び玉係着具１を組み込んだ張り紐７は、図８の張り調整用結び玉係着具を組み込んだ張り紐の使用例の斜視図、および、図９の張り調整用結び玉係着具を組み込んだ張り紐を連棟型ビニルハウスに好適に使用できる箇所を示す概略的正面図に示すように、連棟型のビニルハウス８へのビニルシートの張設に好適に利用、可能であって、特に、同図中に鎖線円で示す、連棟型ビニルハウス８の屋根連結部分における谷部分に沿って装着される雨樋８１の底面上の略中央に棟方向に軸心を向けて架け渡された骨格パイプ８２や、雨樋８１の内側壁に嵌合状に装着された繋着用金具８３の鈎部に張り紐７の一端側を、長さ調整可能な状態に繋着するのに好適に利用できるものである。
【００３２】
図８中に示すように、張り紐７の一端側を骨格パイプ８２に繋着する場合には、その他端側をビニルハウス８の棟を跨いだ反対側の地上やその付近の固定箇所に固定的に繋着し、当該張り調整用結び玉係着具１が繋着された一端側を、骨格パイプ８２の下側を潜すようにして張り紐７中途部を、骨格パイプ８２に巻き付け状に掛けて折り返すと共に、張り紐７を緊張させるよう張り調整用結び玉係着具１を引っ張った上、左手で張り調整用結び玉係着具１の繋ぎ片５の根元付近の外周面と、案内溝３を挟んだその反対側となる外周面とを掌握し、右手に張り紐７の中途適所にある調整用結び玉７１付近を握持し、図６中に白抜き矢印で示すように、張り紐７の中途適所を案内溝３に沿って圧入状に導き入れ、図７中に示したように、張り紐７中途適所に対応した一個の調整用結び玉７１を、結び玉掛止部４に嵌合状とし、それより他端側となる張り紐７中途箇所が貫通孔２１中に挿通状とさせることにより、図８中に示した状態に骨格パイプ８２に繋ぎ止めることが可能となる。
【００３３】
また、ビニルハウス８に装着されたビニルシートが弛んでしまった場合や、台風が接近したとき、あるいはビニルシートを開放する場合等には、図６中の白抜き矢印とは反対向きに、張り紐７を案内溝３を通じて脱抜して、張り紐７を緩め、ビニルシートを開放したり、弛みや皺を直したり、または、さらに引き締めて調整用結び玉７１を締め付け方向に送りやって引き締め直し再度、張り紐７を案内溝３を通じて貫通孔２１中に挿通すこと等ができるようになる。
【００３４】
図７中に示した状態に張設された張り調整用結び玉係着具１を組み込んだ張り紐７は、ビニルハウス８が強風に煽られて大きく揺れた場合であっても、案内溝３の螺旋状に形成された縁部分が、直線状に緊張した張り紐７の中途部に係合し、同張り紐７中途部を、貫通孔２１中に強制的に留めて不用意な離脱を阻止するものとなり、さらに、結び玉掛止部４に嵌まり込んだ調整用結び玉７１が、張り紐７の張力によって強固に固定され、当初の繋着位置を正確に維持するものとなる。
【００３５】
また、図８中の繋着用金具８３に繋着する場合にも、略同様の作業によって張り調整用結び玉係着具１を組み込んだ張り紐７を用いてビニルハウス８の設営を行い、設営後のビニルシートの弛みや皺が生じた部分を張り直したり、張り調整用結び玉係着具１に係合させる調整用結び玉７１を変更し、締め付けの強さを適宜、調整できるようにしてある。また、この張り調整用結び玉係着具１は、図２中に示したもののように、案内溝３の形状および配置を左右逆転させた形状となし、左利きの作業者が、右手で張り調整用結び玉係着具１を掌握して作業するのに好適なものとすることができる。
【００３６】
図３に示した張り調整用結び玉係着具１は、案内溝３を形成した角度範囲を、凡そ４５゜に狭めたことにより、図６中に示したような、張り紐７中途部の案内溝３への挿通作業を、より簡便なものとすることが可能であり、また、図４に示した張り調整用結び玉係着具１のように、案内溝３を短杆体２の周回り凡そ１６０゜の範囲に渡って形成したものとすることにより、図７中に示したように、張設した後に、直線状に強く緊張する張り紐７の中途部が、急な捩れ角度で形成された案内溝３の縁部に係合するものとなり、張り紐７の張り調整用結び玉係着具１からの不用意な離脱がより確実に阻止できるようにしてある。
【００３７】
さらに、図５中に示した張り調整用結び玉係着具１のように、短杆体２の軸心に略平行に形成された案内溝３を形成した場合であっても、結び玉掛止部４を深く形成したものとすることにより、同結び玉掛止部４中に落ち込み状に嵌まり込んだ調整用結び玉７１が、当該結び玉掛止部４の内周面に係合するようにし、係着具本体２が、張り紐７中途箇所から不用意に脱落してしまうのを、さらに確実に阻止できるようなものとする。
【００３８】
【発明の効果】
以上のとおり、この発明の張り調整用結び玉係着具によれば、何よりも先ず掌握可能な大きさの短杆体の軸心付近に貫通孔を穿設し、その外周面から貫通孔に達する案内溝を形成してなる係着具本体の一方端から、通孔が用意された繋ぎ片を延伸させ、同繋ぎ片との境となる貫通孔端辺りに、結び玉掛止部を形成してあることから、張り調整用結び玉係着具自体を一体的な単体品として製造可能とし、破損や磨耗が発生する可能性を大幅に削減して耐久性を確保することができる上、予め中途複数適所に適宜間隔置き毎となる調整用結び玉を形成した張り紐の端部を繋着するだけで、ビニルハウス用のマイカー線としては勿論のこと、テントあるいはトラック用の幌等の張り紐の張り具合等も、至って簡便且つ迅速に調整することが可能となり、特に、頻繁にビニルシートを開閉しなければならない果樹栽培用のビニルハウスに採用することにより、施設管理の作業効率を大幅に高めることができるという極めて秀れた特徴が得られるものである。
【００３９】
また、この発明の張り調整用結び玉係着具を組み込んだ張り紐によれば、張り紐を緊張状態に締め付ける際に、端部を張り調整用結び玉係着具の繋ぎ片に繋いだ張り紐の中途部分を支持箇所に係止させて折り返し、所望する緊張状態を確保できる位置に対応する調整用結び玉を、結び玉掛止部に嵌合状とするように、張り紐中途適所を案内溝に沿って肉厚方向に横断させて貫通孔に挿通状とすることにより、調整用結び玉が、結び玉掛止部に嵌合して張り紐の短杆体軸心方向への脱抜を確実に阻止するものとなり、しかも案内溝を螺旋状に形成されたものとするか、または案内溝の少なくとも一部を貫通孔とは異なる角度に傾斜された形状とするかにより、貫通孔に挿通された張り紐が、緊張状態にあるときには、案内溝の縁部分に係合状となって短杆体の直径方向への脱落を確実に阻止できるものとなり、より確実な張り紐の緊張状態の確保と、弛緩状態または緊張状態への操作を効率化できるという大きな効果を発揮するものとなる。
【００４０】
特に、実施例に取り上げてある張り調整用結び玉係着具１、およびそれを組み込んだ張り紐７によれば、上記した特徴に加え、図１中に示したように、案内溝３を、係着具本体２の繋ぎ片５が設けられた一方端から、これとは反対側となる他方端に渡る凡そ９０゜の範囲に反時計回りの螺旋状をなすよう形成することにより、図６中に示したような、張り紐７中途箇所への装着操作をする際に、右利きの作業者が、該張り調整用結び玉係着具１を右手に掌握し、張り紐７の中途適所を左手で把持して調整作業を行うのに有利なものとなり、それだけ作業性を高めることができるという利点を有したものとなる。
【００４１】
また、図３中の張り調整用結び玉係着具１のように、案内溝３を係着具本体２外周の凡そ４５゜の範囲に形成したものでは、強く引き締めた張り紐７の案内溝３への誘導作業が容易になり、図４中に示した張り調整用結び玉係着具１のように、案内溝３が係着具本体２の外周における凡そ１６０゜の範囲に渡り形成されたものとすることにより、張り紐７が貫通孔２１から不用意に離脱することをより確実に防止でき、図５中の張り調整用結び玉係着具１のように、案内溝３を貫通孔２１に平行な直線状に形成した場合であっても、結び玉掛止部４の深さ寸法を大きく設定しさえすれば、張り紐７の脱抜を確実に阻止できるという効果が得られることになる。
【００４２】
さらに、図１ないし図５中に取り上げてある何れの張り調整用結び玉係着具１にあっても、小型軽量に製造することができるので、図８および図９中に示してある、連棟タイプのビニルハウスにおける屋根間の谷部分に設けられた雨樋のように、比較的狭い箇所であっても張り紐７の端部を繋着し、その張り加減を自在に調整可能とすることができるものとなる上、果樹用ハウスの屋根上のような高所での作業であっても、張り調整用結び玉係着具１から案内溝３に沿って張り紐７の中途箇所を取り外して引張加減を調節し、対応する調整用結び玉７１を結び玉掛止部４に嵌合状とするよう、案内溝３を通じて貫通孔２１中に挿通させるという簡便な作業によって張り紐７の張り具合を調節できることから、管理作業の効率と安全性とが格段に向上させられるという特徴もえられることになる。
【００４３】
叙述の如く、この発明の張り調整用結び玉係着具、およびそれを組み込んだ張り紐は、その新規な構成によって所期の目的を遍く達成可能とするものであり、従前からのバンド留め具等に比較して構造が簡素で、製造も容易であって、しかも小型、軽量化も可能な上に、可動部分が無い単体からなる構造となって耐久性にも秀れていることから、高い経済性の確保と共に、張り紐調整作業の効率自体も大幅に高められ、費用の削減と作業時間の短縮とを確実に達成可能とし、このところ輸入果実との価格、品質競争の激化が憂慮され、高付加価値と品質の安定、向上とが求められる果樹農家をはじめ、その他ビニルハウスを利用する圃場管理者、あるいはレジャー用、業務用のテントもしくはトラック用の幌等を取り扱う者等各方面から高く評価され、広範に渡って利用、普及していくものになると予想される。
【図面の簡単な説明】
図面は、この発明の張り調整用結び玉係着具、およびそれを組み込んだ張り紐の技術的思想を具現化した代表的な幾つかの実施例を示すものである。
【図１】張り調整用結び玉係着具の構造を示す斜視図である。
【図２】左利き用の張り調整用結び玉係着具の構造を示す斜視図である。
【図３】緩やかな螺旋状の案内溝の張り調整用結び玉係着具を示す斜視図である。
【図４】急な螺旋状の案内溝の張り調整用結び玉係着具を示す斜視図である。
【図５】直線状の案内溝の張り調整用結び玉係着具を示す斜視図である。
【図６】張り調整用結び玉係着具を組み込んだ張り紐の構造を示す斜視図である。
【図７】緊張状態の張り紐を示す斜視図である。
【図８】ビニルハウスに利用する張り紐を示す斜視図である。
【図９】連棟型ビニルハウスの概略的形状を示す正面図である。
【符号の説明】
１      張り調整用結び玉係着具
２      係着具本体（短杆体）
２１    同  貫通孔
３      案内溝
４      結び玉掛止部
５      繋ぎ片
５１    同  通孔
６      係止角
７      張り紐
７１    同  調整用結び玉
７２    同  繋着用結び玉
８      連棟型のビニルハウス
８１    同  雨樋
８２    同  骨格パイプ
８３    同  繋着用金具
【図１】
2005021302.tif 000003
【図２】
2005021302.tif 000004
【図３】
2005021302.tif 000005
【図４】
2005021302.tif 000006
【図５】
2005021302.tif 000007
【図６】
2005021302.tif 000008
【図７】
2005021302.tif 000009
【図８】
2005021302.tif 000010
【図９】
2005021302.tif 000011